(57)【要約】【課題】使用者の脚や膝にぶつかりにくい組立式テーブルを提供すること【解決手段】同一構造からなる少なくとも４つのジョイント部品１２Ａ乃至１２Ｄと、ジョイント部品１２Ａ乃至１２Ｄに接続可能な第１支柱１４Ａ乃至１４Ｄ、第２支柱１６Ａ乃至１６Ｄ、第３支柱１８Ａ乃至１８Ｄとを備え、第１支柱は、設置面に対して鋭角をなすテーブル１０【選択図】図３
2019193740.tif 000002
【特許請求の範囲】
【請求項１】
下方に伸びる第１支柱を接続するための第１接続部と、上方に伸びる第２支柱を接続するための第２接続部と、水平方向に伸びる第３支柱を接続するための第３接続部とがそれぞれ形成された、同一構造からなる少なくとも４つのジョイント部品と、
前記ジョイント部品の前記第１接続部と接続可能な少なくとも４つの前記第１支柱と、
前記ジョイント部品の前記第２接続部と接続可能な少なくとも４つの前記第２支柱と、
前記ジョイント部品の前記第３接続部と接続可能な少なくとも４つの前記第３支柱と、
少なくとも４つの前記第２支柱によって支えられる天板と、を備える組立式のテーブルであって、
前記テーブルが組み立てられたときに、
少なくとも４つの前記第１支柱は、これに接続される前記ジョイント部品に対して、平面視において前記テーブルの中央方向に向かう力が作用するように、前記テーブルが設置される設置面に対して鋭角をなし、
少なくとも４つの前記第２支柱は、これに接続される前記ジョイント部品に対して、少なくとも下方向に向かう力が作用するように、前記天板をこのジョイント部品の上方で支持し、
少なくとも４つの前記第３支柱は、これに接続される前記ジョイント部品に対して、このジョイント部品に作用する前記第１支柱からの力と、前記第２支柱からの力の合力と釣り合うように、平面視において前記テーブルの中央から離れる方向に向かう力を作用させるように構成される、組立式のテーブル。
【請求項２】
前記テーブルが組み立てられた際に、
少なくとも４つの前記第２支柱は、これに接続される前記ジョイント部品に対して、平面視において前記テーブルの中央方向に向かう力が作用するように、前記テーブルの主面に対して鋭角をなして、前記天板を支持することを特徴とする請求項１に記載の組立式のテーブル。
【請求項３】
前記ジョイント部品は、前記第１支柱又は前記第２支柱によって貫通された状態で前記第１支柱又は前記第２支柱と接続可能に構成されることにより、前記天板と前記設置面の距離が変更可能に構成されたことを特徴とする請求項１又は２に記載の組立式のテーブル。
【請求項４】
前記第１支柱と前記ジョイント部材とをそれぞれ接続する少なくとも４つの弾性体を、更に備えることを特徴とする請求項１から３の何れか一項に記載の組立式のテーブル。
【請求項５】
前記第２支柱と前記ジョイント部材とをそれぞれ接続する少なくとも４つの第２弾性体を、更に備えることを特徴とする請求項１から４の何れか一項に記載の組立式のテーブル。
【請求項６】
前記テーブルが組み立てられた際に、少なくとも４つの前記第３支柱の前記ジョイント部品に接続されていない方の４つの他端のうち、少なくとも隣接する他端同士を接続する４つの支柱を備える構造体を更に備えることを特徴とする請求項１から５の何れか一項に記載の組立式のテーブル。
【請求項７】
前記テーブルが組み立てられた際に、少なくとも４つの前記第３支柱上に載置されるための小テーブルを更に備えることを特徴とする請求項１から６の何れか一項に記載の組立式のテーブル。
【請求項８】
前記テーブルが組み立てられた際に、同一の前記ジョイント部品に接続される前記第１支柱、前記第２支柱及び前記第３支柱は、同一平面上に存在するように構成されることを特徴とする請求項１から７の何れか一項に記載の組立式のテーブル。
【請求項９】
少なくとも４つの前記ジョイント部品の前記第１接続部には、前記第１支柱が挿入されるための第１穴が形成され、前記第２接続部には、前記第２支柱が挿入されるための第２穴が形成され、前記第３接続部には、前記第３支柱が挿入されるための第３穴がそれぞれ形成されていることを特徴とする請求項１から８の何れか一項に記載の組立式のテーブル。
【請求項１０】
少なくとも４つの前記ジョイント部品は、三角形状であり、前記第１穴は、その中心軸が、前記三角形状の頂点から中央方向に向かうように形成され、前記第２穴は、その中心軸が、前記三角形状の他の頂点から中央方向に向かうように形成され、前記第３穴は、その中心軸が、前記三角形状の残りの頂点から中央方向に向かうように形成されていることを特徴とする請求項１から９の何れか一項に記載の組立式のテーブル。
【請求項１１】
下方に伸びる第１支柱を接続するための第１接続部と、上方に伸びる第２支柱を接続するための第２接続部と、水平方向に伸びる第３支柱を接続するための第３接続部とがそれぞれ形成された、同一構造からなる少なくとも３つのジョイント部品と、
前記ジョイント部品の前記第１接続部と接続可能な少なくとも３つの前記第１支柱と、
前記ジョイント部品の前記第２接続部と接続可能な少なくとも３つの前記第２支柱と、
前記ジョイント部品の前記第３接続部と接続可能な少なくとも３つの前記第３支柱と、
少なくとも３つの前記第２支柱によって支えられる天板と、を備える組立式のテーブルであって、
前記テーブルが組み立てられたときに、
少なくとも３つの前記第１支柱は、これに接続される前記ジョイント部品に対して、平面視において前記テーブルの中央方向に向かう力が作用するように、前記テーブルが設置される設置面に対して鋭角をなし、
少なくとも３つの前記第２支柱は、これに接続される前記ジョイント部品に対して、少なくとも下方向に向かう力が作用するように、前記天板をこのジョイント部品の上方で支持し、
少なくとも３つの前記第３支柱は、これに接続される前記ジョイント部品に対して、このジョイント部品に作用する前記第１支柱からの力と、前記第２支柱からの力の合力と釣り合うように、平面視において前記テーブルの中央から離れる方向に向かう力を作用させるように構成される、組立式のテーブル。
【発明の詳細な説明】
【技術分野】
【０００１】
本発明は、組立式のテーブルに関する。
【背景技術】
【０００２】
キャンプ場などの屋外で主に使用することができる組立式のテーブルは広く知られている。
【０００３】
例えば、特許文献１には、天板と脚を分割し、且つ折り畳み自在にコンパクトに収納することで、携帯することや、組み立てることができるテーブルが記載されている。このテーブルは、複数の天板構成部材２を紐状の連結手段で折り畳み自在に連結した天板１と、テーブルの高さを変更できる４本の脚部材４を備えると共に、天板１の平面性を維持するための平面維持バー６を、天板１及び脚部材４とそれぞれ着脱自在に設けたテーブルが記載されている。
【０００４】
また、特許文献２には、支持脚の長さを任意に変更可能に構成することで、凹凸のある場所でも安定して立設できる折り畳み台脚装置が記載されている。この折り畳み台脚装置は、支持脚１、２、３、４を、固定パイプ８と伸縮パイプ９を連結させるとともに、固定パイプ８と伸縮パイプ９の継合部に、両者を固定する固定機構１８を設けたので、各支持脚１、２、３、４の長さを独立に変更することができる。
【先行技術文献】
【特許文献】
【０００５】
【特許文献１】特開平１１−１９６９３９号公報
【特許文献２】特開平７−２８４４１４号公報
【発明の概要】
【発明が解決しようとする課題】
【０００６】
しかしながら、特許文献１記載のテーブルにおいて、４本の脚部材４は、地面や床面などの設置面に対して垂直となるように組み立てられるため、複数の使用者がテーブルを使用する際に、脚部材４が使用者の膝等にぶつかって邪魔になる。また、補強するために、脚部材４同士を相互に連結するためのリンク１３も、使用者の膝や足等にぶつかるため、テーブルを使用する際の妨げとなる。
【０００７】
また、特許文献２記載の折り畳み台脚装置においても、設置面に対して垂直となるように組み立てられる各支持脚１、２、３、４や、支持脚同士を連結するためのＸ状の連結桟杆５が、テーブルを使用する際の妨げとなる。
【０００８】
そこで本発明は、組み立てた際に、使用者の膝や足等にぶつかりにくい支柱を備えるテーブルを提供することを目的とする。
【課題を解決するための手段】
【０００９】
本開示の一側面に係る組立式のテーブルは、下方に伸びる第１支柱を接続するための第１接続部と、上方に伸びる第２支柱を接続するための第２接続部と、水平方向に伸びる第３支柱を接続するための第３接続部とがそれぞれ形成された、同一構造からなる少なくとも４つのジョイント部品と、ジョイント部品の第１接続部と接続可能な少なくとも４つの第１支柱と、ジョイント部品の第２接続部と接続可能な少なくとも４つの第２支柱と、ジョイント部品の第３接続部と接続可能な少なくとも４つの第３支柱と、少なくとも４つの第２支柱によって支えられる天板と、を備える。そして、テーブルが組み立てられた際に、少なくとも４つの第１支柱は、これに接続されるジョイント部品に対して、平面視においてテーブルの中央方向に向かう力が作用するように、テーブルが設置される設置面に対して鋭角をなし、少なくとも４つの第２支柱は、これに接続されるジョイント部品に対して、少なくとも下方向に向かう力が作用するように、天板をこのジョイント部品の上方で支持し、少なくとも４つの第３支柱は、これに接続されるジョイント部品に対して、このジョイント部品に作用する第１支柱からの力と、第２支柱からの力の合力と釣り合うように、平面視においてテーブルの中央から離れる方向に向かう力を作用させるように構成される。
【００１０】
このようなテーブルによれば、組み立てられた際に、少なくとも４つの第１支柱は、これに接続されるジョイント部品に対して、平面視においてテーブルの中央方向に向かう力が作用するように、テーブルが設置される設置面に対して鋭角をなすから、４つの第１支柱は、テーブルの中央に向かって傾いた状態で、ジョイント部品に接続される。このため、組み立てたときに、使用者の膝や足等にぶつかりにくい支柱を備えるテーブルを提供することができる。
【００１１】
また、第２支柱同士を、直接的に、又は、他の支柱等の部材を介して間接的にお互いに支え合う構成とすることにより、組み立てたときに、ジョイント部品に対して、平面視においてテーブルの中央から離れる方向に向かう力を作用させることが可能になる。このため、第１支柱同士を連結するリンクのような部材を省略することが可能になるから、一層、組み立てた際に、使用者の膝や足等にぶつかりにくいテーブルを提供することができる。
【００１２】
また、同一構造からなる少なくとも４つのジョイント部品を用いてテーブルを組み立てることが可能になるから、ジョイント部品の製造コストを削減することが可能になる。また、平面視において天板の中央を通過する軸に対して所定角度で回転対称となるように、全て又は一部のジョイント部品とこれに接続される各支柱を設けてもよい。その場合、バランスに優れたテーブルを提供することが可能になる。
【００１３】
なお、ジョイント部品と、各支柱とは、着脱自在に接続されるように構成してもよいし、ボルト等を用いて容易に脱離できない状態で接続されていてもよい。
【００１４】
ここで、同一構造とは、ジョイント部品の第１接続部、第２接続部、第３接続部の構造に関してのみ同一の構造を有する場合を含み、例えば、これら接続部とは関係ない外形部分の形状の一部を異ならせるようにジョイント部品を構成してもよい。
【００１５】
また、鋭角をなすとは、設置面が理想的な水平面と仮定した場合の話であり、使用される環境によっては、設置面が凹凸を有するために、鈍角以外の角度を有する場合があってもよい。
【００１６】
また、第２支柱の、ジョイント部品と接続しない方の他端は、更に、隣接する他端同士を接続するための連結部材と一体的又は着脱可能に設けられてもよい。
【図面の簡単な説明】
【００１７】
【図１】組立式のテーブル１０の斜視図
【図２】組立式のテーブル１０の平面図及び底面図
【図３】組立式のテーブル１０の正面図
【図４】ジョイント部品１２Ａの平面図及び正面図
【図５】ジョイント部品１２Ａの左側面図及び右側面図
【図６】テーブル１０’の使用態様
【図７】テーブル１０’の天板２０’を低くした使用態様
【図８】変形例に係るテーブル１０’’
【発明を実施するための形態】
【００１８】
以下、本発明の実施形態について図面を用いて説明する。以下の実施形態は、本発明を説明するための例示であり、本発明をその実施形態のみに限定する趣旨ではない。また、本発明は、その要旨を逸脱しない限り、さまざまな変形が可能である。たとえば、当業者の通常の創作能力の範囲内で、ある実施形態における一部の構成要素を、他の実施形態に組み合わせることもできるし、知られた他の態様に置き換えることもできる。
【００１９】
図１は、本実施形態に係る組立式のテーブル１０の斜視図であり、図２（ａ）は、テーブル１０の平面図、図２（ｂ）は、テーブル１０の底面図、図３は、テーブル１０の正面図である。
【００２０】
図１に示されるように、天板２０は、例えば、５枚の板状の天板部２０１乃至２０５から構成される。隣り合う天板部２０１乃至２０５は、ゴム紐等の伸縮性の部材により接続されることにより、一つに連結されている。
【００２１】
テーブル１０として使用する際には、これら天板部２０１乃至２０５を隣接して並べ、一つの天板２０として用い、テーブル１０を収納する際には、これら天板部２０１乃至２０５の主面同士が対向するように五段に積層することができる。なお、天板２０は、このような構成に限られない。例えば、隣り合う天板部をヒンジ等の部材により接続する構成としてもよい。また、必ずしも、複数の天板部から天板を構成しなくてもよい。
【００２２】
図２（ｂ）に示されるように、テーブル１０として組み立てられた際に、天板部２０１乃至天板部２０５の下方を向いた主面は、各天板部２０１乃至２０５の長手方向に垂直に伸びる二本の支持バー２４Ａ及び２４Ｂによって支えられる。天板部２０１の長手方向に平行な側面のうち、隣接する天板部２０２と対向していない方の外側を向いた側面には、支持バー２４Ａ及び２４Ｂの一端部２４Ａ１及び２４Ｂ１（図３）にそれぞれ設けられた突起が係合するための図示しない複数の穴が形成されている。
【００２３】
同様に、天板部２０５の長手方向に平行な側面のうち、隣接する天板部２０４と対向していない方の外側を向いた側面には、支持バー２４Ａの他端部に設けられた突起及び支持バー２４Ｂの他端部に設けられた突起がそれぞれ係合するための図示しない複数の穴が形成されている。
【００２４】
図２（ｂ）に示されるように、テーブル１０として組み立てられたときに、これら天板部２０１乃至２０５は、二本の支持バー２４Ａ及び２４Ｂによって、下から支えられる。支持バー２４Ａ及び２４Ｂと係合するために、天板部２０１の外側を向いた側面には、支持バー２４Ａ及び２４Ｂに設けられた突起と係合するための複数の穴が設けられている。また、天板部２０５の外側を向いた側面にも、同様に、複数の穴が設けられている。
【００２５】
同一構造の支持バー２４Ａ及び２４Ｂは、角柱状に形成されており、その上面で、天板部２０１乃至天板部２０５の底面を支持できるように、天板部２０１乃至天板部２０５の短手方向の長さの和より、やや大きい長さを有するように形成される。支持バー２４Ａの一端部２４Ａ１（図３）は他の部分よりやや厚みが大きく設けられている。この一端部２４Ａ１の天板部２０１の側面に対向する部分には、他端部方向に突出する突起（不図示）が設けられている。テーブル１０を使用する際には、この突起と、天板部２０１の外側を向いた側面に設けられる穴を係合させる。同様に、支持バー２４Ａの他端部（不図示）には、一端部２４Ａ１方向に突出する突起（不図示）が設けられており、テーブル１０を使用する際には、この突起と、天板部２０５の外側を向いた側面に設けられる穴を係合させることにより、天板２０を両側から把持する。支持バー２４Ｂも同様に、一端部２４Ｂ１及び他端部にそれぞれ設けた突起により、天板２０を両側から把持する。
【００２６】
このように、テーブル１０を使用する際には、支持バー２４Ａ及び２４Ｂで天板部２０１乃至２０５を両側から挟み込むように支持するので、ゴム紐等の伸縮性の部材により接続される天板部２０１乃至２０５の一部が使用時に引っ張られて、天板２０上の食器等が倒れてしまうような不都合を抑制することができる。テーブル１０を収納する際には、天板２０は、支持バー２４Ａ及び２４Ｂから外される。なお、支持バー２４Ａ及び２４Ｂを伸縮自在に構成してもよい。
【００２７】
また、図２（ｂ）に示されるように、支持バー２４Ａの底面には、第４ジョイント部品１２Ｄに接続される第２支柱１６Ｄ（図３）の一端と係合するための３つの穴２４Ａ３が形成され、また、第３ジョイント部品１２Ｃに接続される第２支柱１６Ｃ（図３）の一端と係合するための３つの穴２４Ａ４が形成される。
【００２８】
同図に示されるように各穴２４Ａ３は、幅が広い部分と狭い部分から形成されているため、幅が広い部分から係合させた第２支柱１６Ｄの一端を幅が狭い部分にわずかに移動させることにより、好適に支持バー２４Ａと第２支柱１６Ｄを固定することができる。
【００２９】
また、本実施形態においては、穴２４Ａ３を、複数個（例えば３つ）設け、第２支柱１６Ｄと係合する穴２４Ａ３を選択することができるように構成されている。後に詳述するように、第２支柱１６Ｄと係合する穴２４Ａ３を変更することによって、第１支柱１４Ｄの位置を変更することが可能になるため、使用される状況に応じて、より使用者の膝や足等にぶつかりにくい位置に、第１支柱１４Ｄの位置を設定することが可能になる。
【００３０】
第２支柱１６Ｃの一端と係合するための３つの穴２４Ａ４（図２（ｂ））は、穴２４Ａ３と同様の構造及び機能を備えるため、説明を割愛する。
【００３１】
また、支持バー２４Ｂにも、支持バー２４Ａと同様の一端部２４Ｂ１、他端部、３つの穴２４Ｂ３及び３つの穴２４Ｂ４が設けられる。支持バー２４Ａと同様の構造及び機能を備えるため、説明を割愛する。
【００３２】
図３に示されるように、ジョイント部品１２Ｂには、下方に伸びる第１支柱１４Ｂと、上方に伸びる第２支柱１６Ｂと、水平方向に伸びる第３支柱１８Ｂが接続される。
【００３３】
同様に、ジョイント部品１２Ａ、１２Ｃ又は１２Ｄには、それぞれ、下方に伸びる第１支柱１４Ａ、１４Ｃ及び１４Ｄと、上方に伸びる第２支柱１６Ａ、１６Ｃ及び１６Ｄと、水平方向に伸びる第３支柱１８Ａ、１８Ｃ及び１８Ｄがそれぞれ接続される。
【００３４】
そして、例えば図１に示されるように、水平方向に伸びる第３支柱１８Ａ、１８Ｂ、１８Ｃ及び１８Ｄが、テーブル１０の平面視中央で連結されることにより、互いに支え合って天板２０を支持する構成が採用されている。なお、第３支柱１８Ａ、１８Ｂ、１８Ｃ及び１８Ｄは、一体的に設けてもよい。
【００３５】
図２（ｂ）に示されるように、テーブル１０が組み立てられたときに、同一のジョイント部品１２Ｂに接続される第１支柱１４Ｂ、第２支柱１６Ｂ及び前記第３支柱１８Ｂは、設置面に対して垂直な同一平面上に存在するように構成される。他のジョイント部品１２Ａ、１２Ｃ及び１２Ｄも、同様に、第１支柱１４Ａ、１４Ｃ及び１４Ｄ、第２支柱１６Ａ、１６Ｂ及び１６Ｄ、並びに第３支柱１８Ａ、１８Ｃ及び１８Ｄと、接続されたときに、それぞれ、設置面に対して垂直な同一平面上に存在するように構成される。
【００３６】
第１支柱１４Ａ乃至１４Ｄは、同一構造からなる中空円筒状に形成される。図３に示されるように、第１支柱１４Ｂは、設置面が水平面のときに、概ね６０度の鋭角をなすように、ジョイント部品１２Ｂと着脱自在に接続される。このため、設置面が水平面のときに、第１支柱１４Ｂは、ジョイント部品１２Ｂに対して、斜め上方に向かう力であって、図２（ａ）に示される平面視においては、概ね天板２０又はテーブル１０の中心軸Ｃを含む中央部に向かう方向に力を作用させる。
【００３７】
同様に、第１支柱１４Ａ、１４Ｃ及び１４Ｄは、同様に、それぞれ設置面が水平面のときに、概ね６０度の鋭角をなすように、ジョイント部品１２Ａ、１２Ｃ及び１２Ｄとそれぞれ着脱自在に接続され、ジョイント部品１２Ａ、１２Ｃ及び１２Ｄに対して、斜め上方に向かう力であって、平面視においては、概ね天板２０又はテーブル１０の中心軸Ｃを含む中央部に向かう方向に力を作用させる。
【００３８】
第２支柱１６Ａ乃至１６Ｄは、同一構造からなる中空円筒状に形成される。第２支柱１６Ａ乃至１６Ｄの側面には、長手方向において異なる位置に、側面から突出するように２つの突起１６Ａ１、１６Ａ２（図１）が設けられている。また、端部の側面にも、突起（不図示）が設けられている。突起１６Ａ１及び突起１６Ａ２は、人間の手で押すことにより第２支柱１６Ａの内方に押下げることが可能に構成されている。後に詳述するように、これら突起は、接続部品１２Ａ乃至１２Ｄに係合するためのものである。また、係合する突起を変更することで、天板２０の高さを変更することができるように構成されている。
【００３９】
図３に示されるように、第２支柱１６Ｂは、天板部２０１乃至２０５が連なることにより形成される天板２０の主面に対し概ね６０度の鋭角をなすように、ジョイント部品１２Ｂに着脱自在に接続される。このため、天板２０の重みにより、第２支柱１６Ｂは、ジョイント部品１２Ｂに対して、斜め下方に向かう力であって、図２（ａ）に示される平面視においては、概ね天板２０又はテーブル１０の中心軸Ｃを含む中央部に向かう方向に力を作用させる。
【００４０】
同様に、円筒状の第２支柱１６Ａ、１６Ｃ及び１６Ｄは、それぞれ天板２０の主面に対し概ね６０度の鋭角をなすように、ジョイント部品１２Ａ、１２Ｂ及び１２Ｄに着脱自在に接続される。このため、第２支柱１６Ａ、１６Ｃ及び１６Ｄは、ジョイント部品１２Ａ、１２Ｃ及び１２Ｄに対して、斜め下方に向かう力であって、図２（ａ）に示される平面視においては、概ね天板２０又はテーブル１０の中心軸Ｃを含む中央部に向かう方向に力を作用させる。
【００４１】
第３支柱１８Ａ及び１８Ｃは、同一構造からなる中空角柱状に形成される。第３支柱１８Ｂ及び１８Ｄは、中空角柱状に一体的に形成される。
【００４２】
図３に示されるように、第３支柱１８Ｂは、テーブル１０が組み立てられたときに、ジョイント部品１２Ｂに対して、このジョイント部品１２Ｂに作用する第１支柱１４Ｂからの力と、第２支柱１６Ｂからの力の合力と釣り合うように、図２（ａ）に示される平面視において概ね天板２０又はテーブル１０の中心軸Ｃを含む中央部から離れる方向に向かう力を作用させる。このため、ジョイント部品１２Ｂは、３つの支柱である第１支柱１４Ｂ、第２支柱１６Ｂ及び第３支柱１８Ｂから作用する力が釣り合って、静止する。なお、本実施形態においては、第３支柱１８Ｂと、ジョイント部品１２Ｂは、両者の側面を貫通するボルトによって固定されている。
【００４３】
同様に、角柱状の第３支柱１８Ａ、１８Ｃ及び１８Ｄは、組み立てられたときに、接続される各ジョイント部品１２Ａ、１２Ｃ及び１２Ｄに対して、このジョイント部品１２Ａ、１２Ｃ及び１２Ｄに作用する第１支柱１４Ａ、１４Ｂ及び１４Ｄからの力と、第２支柱１６Ａ、１６Ｂ及び１６Ｄからの力の合力と釣り合うように、図２（ａ）に示される平面視において概ね天板２０又はテーブル１０の中心軸Ｃを含む中央部から離れる方向に向かう力を作用させる。このため、ジョイント部品１２Ａ、１２Ｃ及び１２Ｄは、３つの支柱からの力が釣り合って、静止する。本実施形態においては、第３支柱１８Ａ、１８Ｃ及び１８Ｄと、ジョイント部品１２Ａ、１２Ｃ及び１２Ｄは、両者の側面を貫通するボルトによってそれぞれ接続されている。
【００４４】
上述したように、第３支柱１８Ａ、１８Ｂ、１８Ｃ及び１８Ｄは、一体的に設けられてもよい。本実施形態において、ジョイント部品１２Ｂ及びこれに接続される第１支柱１４Ｂ、第２支柱１６Ｂ及び第３支柱１８Ｂと、ジョイント部品１２Ｄ及びこれに接続される第１支柱１４Ｄ、第２支柱１６Ｄ及び第３支柱１８Ｄは、テーブル１０の平面視中心を貫通する中心軸Ｃについて１８０度回転対称に設けられ、かつ、第３支柱１８Ｂ及び第３支柱１８Ｄは、中心軸Ｃを通過するように設けられる。このため、本実施形態において、第３支柱１８Ｂ及び第３支柱１８Ｄは、一本の角柱から、一体的に形成することができる。そして、図１に示されるように、中心軸Ｃと同軸の連結ピン２２Ａによって、第３支柱１８Ｂ及び第３支柱１８Ｄをなす角柱は、連結部品２２と回転自在に連結される。
【００４５】
更に、ジョイント部品１２Ａ及びこれに接続される第１支柱１４Ａ、第２支柱１６Ａ及び第３支柱１８Ａと、ジョイント部品１２Ｃ及びこれに接続される第１支柱１４Ｃ、第２支柱１６Ｃ及び第３支柱１８Ｃは、中心軸Ｃについて１８０度回転対称に設けられる。そして、図１に示されるように、連結部品２２と第３支柱１８Ａとは、連結ピン２２Ｄ及び２２Ｅにより接続され、連結部品２２と第３支柱１８Ｃとは、連結ピン２２Ｂ及び２２Ｃにより接続される。
【００４６】
上述したように、連結部品２２と第３支柱１８Ｂ及び１８Ｄとは、連結ピン２２Ａにより回転自在に連結されるため、連結ピン２２Ａを中心に、第３支柱１８Ｂ及び１８Ｄに対して連結部品２２を回転させることにより、これに連結される第３支柱１８Ａ及び１８Ｃの第３支柱１８Ｂ及び１８Ｄに対する角度も変更することが可能になる。従って、支持バー２４Ａに設けられた三つの穴２４Ａ３（及び２４Ａ４）のうち、第３支柱１８Ｄ（及び第３支柱１８Ｃ）と係合させる穴２４Ａ３（及び２４Ａ４）を変更することが可能になる。これに伴って、天板部２０１等に対する支持バー２４Ａの長手方向の位置も変更するが、支持バー２４Ａと係合する天板部２０１及び天板部２０５の長手方向と平行な側面には、対応する位置に複数個所設けられているから、支持バー２４Ａは、天板部２０１乃至２０５を好適に把持することができる。支持バー２４Ｂについても、支持バー２４Ａと同一の構造、機能を奏することから、説明は割愛する。
【００４７】
図４（ａ）は、ジョイント部品１２Ａの平面図、図４（ｂ）は、ジョイント部品１２Ａの正面図であり、図５（ａ）は、ジョイント部品１２Ａの左側面図、図５（ｂ）は、ジョイント部品１２Ａの右側面図である。ジョイント部品１２Ｂ、１２Ｃ及び１２Ｄについては、ジョイント部品１２Ａと同一構造であるから説明を割愛する。
【００４８】
図４（ｂ）等に示されるように、ジョイント部品１２Ａは、三角形状を有しており、第１支柱１４Ａを接続するための第１接続部１２Ａ１と、第２支柱１６Ａを接続するための第２接続部１２Ａ２と、第３支柱１８Ａを接続するための第３接続部１２Ａ３を備えている。
【００４９】
第１接続部１２Ａ１には、三角形状をなすジョイント部品１２Ａの一つの頂点から、中央方向に伸びる円筒状の穴Ｈ１が形成されている。この穴Ｈ１に、円柱状の第１支柱１４Ａを挿入し、嵌合することにより、ジョイント部品１２Ａと第１支柱１４Ａは着脱自在に接続される。穴Ｈ１は、テーブル１０の使用時に斜め下方を向いて、第１支柱１４Ａに嵌合されるから、天板２０等の重みによって、ジョイント部品１２Ａと第１支柱１４Ａは好適に固定される。
【００５０】
なお、ジョイント部品１２Ａと、第１支柱１４Ａは、伸縮性のあるゴム紐（不図示）によって接続されている。このゴム紐は、穴Ｈ１を通って、ジョイント部品１２Ａの内部と接続され、かつ、中空円柱状をなす第１支柱１４Ａの底面開口部から内壁にも接続されている。このため、組立前のときも、ゴム紐によってジョイント部品１２Ａと第１支柱１４Ａは接続されている。ゴム紐は、第１接続部１２Ａ１に形成された穴Ｈ１からジョイント部品１２Ａの内部と接続されていることから、組み立てる際には、使用者は、迷いなく、第１接続部１２Ａ１に接続するための支柱として、第１支柱１４Ａを選択することができる。
【００５１】
第２接続部１２Ａ２には、三角形状をなすジョイント部品１２Ａの他の頂点から、中央方向に伸びる円筒状の穴Ｈ２が形成されている。この穴Ｈ２は、ジョイント部品１２Ａを貫通し、開口部ＯＰ（図５（ｂ））に連通する。また、穴Ｈ２の縁部には、凹みＨ２１（図５（ａ））が形成されている。テーブル１０を組み立てるときには、この穴Ｈ２に、円柱状の第２支柱１６Ａを挿入し、第２支柱１６Ａに設けられた突起１６Ａ１等と、凹みＨ２１を係合させることにより、第２支柱１６Ａが、ジョイント部品１２Ａと固定されずに第２支柱１６Ａが回転することと、設置面の方に下がってしまうことを防止する。
【００５２】
また、突起１６Ａ１及び１６Ａ２は、人間の手で押すことにより第２支柱１６Ａの内方に押下げることが可能である。このため、天板２０を低くしたいときは、突起１６Ａ２を押し下げながら、第２支柱１６Ａの下端が開口部ＯＰからジョイント部品１２Ａの外方に突出するように移動させ、突起１６Ａ１を凹みＨ２１に係合させて、テーブル１０を使用することもできる。また、逆の動きにより天板を高くするときは、開口部ＯＰがすり鉢状になっているため、第２支柱１６Ａを持ち上げるだけで、突起１６Ａ２を押すことなく高さを調節することができる。
【００５３】
なお、第１支柱１４Ａと同様に、第２支柱１６Ａも、伸縮性のあるゴム紐（不図示）によってジョイント部品１２Ａと接続されている。このため、組立前の状態でも、ゴム紐によってジョイント部品１２Ａと第２支柱１６Ａは接続されている。ゴム紐は、穴Ｈ２の内部とつながっていることから、組み立てる際には、使用者は、迷いなく、第２接続部１２Ａ２と、第２支柱１６Ａを選択することができる。
【００５４】
第３接続部１２Ａ３には、三角形状をなすジョイント部品１２Ａの残りの頂点から、ジョイント部品１２Ａの中央方向かつ水平方向に伸びる角柱状の穴Ｈ３が形成されている。この穴Ｈ３には、角柱状の第３支柱１８Ａが挿入された状態で、ジョイント部品１２Ａ及び第３支柱１８Ａの側面を貫通するボルトによって接続される。このため、組み立て前の状態でも、常に、第３支柱１８Ａとジョイント部品１２Ａは接続されている。また、第３支柱１８Ａの他端は、上述したように、連結部品２２を介して、他の第３支柱１８Ｂ、１８Ｃ及び１８Ｄとも回転自在に接続されている。このため、収納時には、連結ピン２２Ａを中心に第３支柱１８Ｃ及び１８Ａを回転させて、第３支柱１８Ａと１８Ｂが隣接し、第３支柱１８Ｃと１８Ｄが隣接するとともに、ジョイント部品１２Ａとジョイント部品１２Ｂが隣接し、ジョイント部品１２Ｃとジョイント部品１２Ｄが隣接するようにして、コンパクトに収納することが可能となる。
【００５５】
図６は、このようなテーブル１０と同様のテーブル１０’を、チェアＣに座る使用者Ｕが使用している様子を模式的に示している。なお、テーブル１０’は、天板２０’を６枚の天板部２０１’乃至２０６’から構成している点が、テーブル１０と異なる。その他の部分は、テーブル１０と同一であるため、同一の符号を説明し、説明等を省略又は簡略化する。
【００５６】
この図に示されるようにテーブル１０’の第１支柱１４Ａ乃至１４Ｄは、テーブル１０’の中央方向に向かうように鋭角をなして、テーブル１０’を支持している。このため、垂直に立設される支柱がテーブルの四隅に設けられている構造と比較して、使用者Ｕの脚や膝とぶつかりにくい。また、第１支柱１４Ａ乃至１４Ｄは、天板２０’の下方に隠れるから、使用者Ｕの視界に入りにくいというメリットもある。
【００５７】
また、支柱同士を接続するトラス構造の梁を削減することが可能になり、また、仮に設けるとしても、テーブルの中央付近に設けることができるから、この点からも、使用者Ｕの足や膝にぶつかりにくい構造を実現することができる。このため、使用者Ｕは、よりテーブル１０’に近づいてチェアＣに腰掛けることができる。
【００５８】
図７（ａ）は、テーブル１０’の天板２０’の高さを低くして使用する様子を示している。ローチェアＣ１に座る使用者Ｕに適した天板２０’の高さにするために、ジョイント部品１２Ａを貫通するように第２支柱１６Ａを押下げて、上方に形成された突起１６Ａ１と凹みＨ２１を係合させている。他の第２支柱１６Ｂ、１６Ｃ及び１６Ｄも同様であるため、説明は割愛する。このとき、第１支柱１４Ａ乃至１４Ｄ及びジョイント部品１２Ａ乃至１２Ｄの位置は変わらない。このため、天板２０’の高さを低くしても、これら第１支柱１４Ａ乃至１４Ｄ等が、使用者Ｕの脚等にぶつかりにくい点はかわらない。また、第２支柱１６Ａ乃至１６Ｄは、天板２０’に対して、下端が天板２０’の平面視中央に向かって傾斜している。このため、押下げられてジョイント部品１２Ａ乃至１２Ｄを貫通した第２支柱１６Ａ乃至１６Ｄの下端も、使用者Ｕの脚等にぶつかりにくいという効果が発揮される。なお、第１支柱１４Ａ乃至１４Ｄ及び第２支柱１６Ａ乃至１６Ｄの長さを直接変更するような知られた構成を採用することにより、天板２０’の高さを変更できるようにしてもよい。
【００５９】
図７（ｂ）は、テーブル１０’の天板２０’の高さを更に低くして座卓として使用する様子を示している。第２支柱１６Ａの上端には、突起（不図示）が設けられており、この突起と凹みＨ２１を係合させることにより、天板２０’の高さを多段階に設定することが可能になる。他の第２支柱１６Ｂ、１６Ｃ及び１６Ｄも同様であるため、説明は割愛する。
【００６０】
なお、第３支柱１８Ａ乃至１８Ｄには、ジョイント部品１２Ａ乃至１２Ｄより、平面視におけるテーブル１０の中央方向に向かう力が作用するところ、これらの力をつりあわせるための構造として、必ずしも、第３支柱１８Ａ乃至１８Ｄを、直接的に相互に接続しなくてもよい。例えば、ジョイント部品１２Ａ乃至１２Ｄと接続されていない方の端部については、更に、他の構造体と一体的に、又は、着脱自在に接続するように構成してもよい。
【００６１】
図８には、このような変形の一例として、中央部に構造体５０を追加することで、大きな天板２０’’を備えたテーブル１０’’を示している。
【００６２】
この構造体５０は、４つの支柱５０Ａ乃至５０Ｄを備えている。また、ジョイント部品１２Ａ乃至１２Ｄは、水平方向に伸びる第３支柱１８Ａ’乃至１８Ｄ’とそれぞれ接続される。また、第３支柱１８Ｂと第３支柱１８Ｄが一体的に設けられた角柱から構成されたのと同様に、第３支柱１８Ｂ’と支柱５０Ｄは一体的に設けられた角柱から構成され、その中央部に設けられた連結部品により、第３支柱１８Ａ’及び支柱５０Ｃと回転可能に連結されている。また、第３支柱１８Ｄ’と支柱５０Ｂは一体的に設けられた角柱から構成され、その中央部に設けられた連結部品により、第３支柱１８Ｃ’及び支柱５０Ａと回転可能に連結されている。また、支柱５０Ｂと支柱５０Ｃは、その端部において互いに回転可能に連結され、支柱５０Ａと支柱５０Ｄは、その端部において互いに回転可能に連結されている。
【００６３】
このようなテーブル１０’’にあっても、第１支柱１４Ａ乃至１４Ｄが、使用者の足や膝がぶつかることを抑制することが可能になる。
【００６４】
また、テーブル１０’’を収納する際には、第３支柱１８Ａ’、支柱５０Ｄ、支柱５０Ａ及び第３支柱１８Ｄ’が互いに隣接し、第３支柱１８Ｂ’、支柱５０Ｃ、支柱５０Ｂ’及び第３支柱１８Ｃ’が互いに隣接するようにコンパクトに折り畳むことが可能になる。
【００６５】
なお、上記した実施形態においては、第１支柱、第２支柱、第３支柱及びジョイント部品を、それぞれ４つずつ備えるテーブルについて記載したが、本発明はこれに限られるものではない。例えば、５つ以上、または、３つの場合であっても、本発明を適用することが可能である。たとえば、第１支柱、第２支柱、第３支柱及びジョイント部品を、それぞれ３つの部品から構成する場合、三脚のようにテーブルを保持することが可能になる。
【００６６】
また、支柱は、必ずしも、単一の中心軸を備える円柱や多角形中に限られない。例えば、天板を支持する端部を変形させて、天板をより適切に支持するための構造を採用してもよい。同様に、設置面により支持される端部を、例えば、二股等にして、より安定的な設置を可能とするような構成を採用してもよい。
【００６７】
また、第２支柱は、鋭角に天板を支えることにより、ジョイント部品にテーブル中央方向に向かう力を作用させ、従って、安定性を増した。しかしながら、第２支柱については、垂直に天板を支持するようにしてもよい。
【００６８】
また、第３支柱は、水平方向にのび、かつ、角柱であるため、この第３支柱上に載置可能な小テーブルを備えてもよい。更に、第３支柱ならびに第３支柱と連結される構造体上に載置される小テーブルを備えてもよい。このとき、ジョイント部品１２Ａ等に、小テーブルと係合するための支持部材を設けてもよい。たとえば、接続部１２Ａ３の外表面のうち、テーブル１０として使用されるときに上方を向いた面に、上方に突出するような突起を設けて、小テーブルと係合させてるような構成を採用してもよい。
【符号の説明】
【００６９】
Ｃ     中心軸
２０１-２０５ 天板部
１２Ａ-１２Ｄ 接続部品
１２Ａ-１２Ｄ ジョイント部品
１４Ａ-１４Ｄ 第１支柱
１６Ａ-１６Ｄ 第２支柱
１６Ａ１      突起
１６Ａ２      突起
２０   天板
２２   連結部品
２４Ａ 支持バー
２４Ｂ 支持バー
５０   構造体
２０１-２０５ 天板部
【図１】
2019193740.tif 000003
【図２】
2019193740.tif 000004
【図３】
2019193740.tif 000005
【図４】
2019193740.tif 000006
【図５】
2019193740.tif 000007
【図６】
2019193740.tif 000008
【図７】
2019193740.tif 000009
【図８】
2019193740.tif 000010